(57)【特許請求の範囲】
【請求項１】
走行レールに沿って走行自在な走行台車と、前記走行台車に立設された昇降マストに沿って昇降自在に備えられた昇降台と、前記昇降台に備えられて物品を移載自在な移載部と、前記昇降台を昇降駆動させる昇降駆動手段とが備えられているスタッカークレーンであって、
前記昇降駆動手段は、軸心が上下方向に沿って配置されたネジ部を回転駆動させる昇降用モータと、前記ネジ部に螺合されて前記ネジ部の回転駆動により昇降されるナット部と、前記ナット部と前記昇降台を連結して前記ナット部の昇降により前記昇降台を昇降自在に支持する連結支持部とを備え、
前記ネジ部、前記ナット部、及び、前記連結支持部の少なくとも一部が、前記昇降マスト内に配置され、
前記ネジ部は、前記走行台車を構成する台車フレームの上端部を貫通する状態でその下端部が前記台車フレーム内に位置するように配置され、
前記走行レールは、前記移載部による物品移載方向に間隔を隔てて一対設けられ、
前記昇降用モータには、前記昇降用モータの出力を減速させて前記出力軸に伝達自在な減速機が一体的に備えられ
前記昇降用モータは、前記台車フレームの下方側に、その長手方向が前記走行台車の走行方向に対して直交する方向に沿う姿勢で、前記物品移載方向において一対の前記走行レールの間で且つ上下方向において前記昇降用モータよりも下方側にメンテナンス台車挿入用空間を形成する状態で配置され、
前記台車フレーム内には、前記昇降用モータの出力軸の回転軸心と前記ネジ部の回転軸心とが一致する状態で前記昇降用モータの出力軸と前記ネジ部とを連結して前記昇降用モータの出力を前記ネジ部に伝達自在なカップリング部が備えられているスタッカークレーン。
【請求項２】
前記昇降マストは、前記物品移載方向に水平に直交する水平直交方向に間隔を隔てて前記昇降台を挟む状態で一対設けられ、
前記昇降駆動手段及び前記カップリング部は、前記水平直交方向に間隔を隔てて前記昇降台を挟む状態で一対設けられている請求項１に記載のスタッカークレーン。
【発明の詳細な説明】
【技術分野】
【０００１】
本発明は、走行レールに沿って走行自在な走行台車と、前記走行台車に立設された昇降マストに沿って昇降自在に備えられた昇降台と、前記昇降台に備えられて物品を移載自在な移載部と、前記昇降台を昇降駆動させる昇降駆動手段とが備えられているスタッカークレーンに関する。
【背景技術】
【０００２】
上記のようなスタッカークレーンは、走行台車の走行作動及び昇降台の昇降作動を行うことにより、例えば、収納棚の物品収納部に対して設定された移載用位置に移載部を移動させ、移載用位置に移載部を位置させた状態で移載部の移載作動を行うことにより、物品収納部との間で物品を移載している（例えば、特許文献１参照。）。そして、この特許文献１に記載のスタッカークレーンでは、昇降台がチェーンやベルト等の索状体にて吊り下げ支持されており、昇降駆動手段として、例えば、索状体を巻き取り及び繰り出し自在な巻き取りドラムとその巻き取りドラムを回転駆動する昇降モータとを備えている。
【０００３】
スタッカークレーンにおける昇降駆動手段ではないものの、昇降台を昇降させる昇降駆動手段として、ボールネジ駆動式のものもある（例えば、特許文献２参照。）。この特許文献２に記載のものでは、昇降駆動手段が、軸心が上下方向に沿って配置されたネジ部を回転駆動させる昇降用モータと、ネジ部に螺合されてネジ部の回転駆動により昇降されるナット部と、上下方向に沿って配置されて昇降台を上下方向に沿って昇降案内する昇降案内部と、ナット部と昇降台を連結してナット部の昇降により昇降台を昇降自在に支持する連結支持部とを備えている。そして、昇降案内部として、上下方向に延びる一対のガイドレールが設けられ、昇降台側に備えられた一対のローラが一対のガイドレールに接触しながら回転することにより、昇降台を昇降案内している。また、ネジ部やナット部等が昇降マスト内に配置されており、昇降用モータは、ネジ部とは水平方向に離れた位置に設置されているので、昇降用モータの出力をネジ部に伝達するために、複数のギアを水平方向に並べて配置している。
【先行技術文献】
【特許文献】
【０００４】
【特許文献１】特開２００８−２４７５５８号
【特許文献２】特開平８−１２２８８号公報
【発明の概要】
【発明が解決しようとする課題】
【０００５】
上記特許文献１に記載のスタッカークレーンでは、昇降台を索状体にて吊り下げ支持するために、スタッカークレーンの上部やその他の箇所にもスプロケット等の案内体を複数設けなければならず、構成の複雑化を招く可能性がある。また、索状体の伸び等により昇降台を適正に昇降できなくなる虞があるので、索状体の伸びに対する処置を行う必要があり、この点からも構成の複雑化を招く可能性があった。
【０００６】
そこで、スタッカークレーンにおいて、昇降駆動手段として、上記特許文献２に記載の如く、ボールネジ駆動式の昇降駆動手段を備えることが考えられている。しかしながら、特許文献２に記載のものでは、昇降マスト内に配置されたネジ部とは水平方向に離れた位置に昇降用モータが設置されているので、昇降用モータの出力をネジ部に伝達するために、複数のギアを備えなければならず、構成の複雑化を招くものとなる。
また、スタッカークレーンでは、経年劣化等により昇降用モータを交換することがあるが、その昇降用モータの交換作業はスタッカークレーンの作動を停止させて行うことから、昇降用モータの交換作業を短時間で行うことができることが求められる。
【０００７】
本発明は、かかる点に着目してなされたものであり、その目的は、昇降駆動手段として、構成の複雑化を招くことなく、ボールネジ駆動式の昇降駆動手段を備えることができながら、昇降用モータの交換作業を短時間で行うことができるスタッカークレーンを提供する点にある。
【課題を解決するための手段】
【０００８】
この目的を達成するために、本発明に係る昇降式の物品搬送装置の第１特徴構成は、走行レールに沿って走行自在な走行台車と、前記走行台車に立設された昇降マストに沿って昇降自在に備えられた昇降台と、前記昇降台に備えられて物品を移載自在な移載部と、前記昇降台を昇降駆動させる昇降駆動手段とが備えられているスタッカークレーンにおいて、
前記昇降駆動手段は、軸心が上下方向に沿って配置されたネジ部を回転駆動させる昇降用モータと、前記ネジ部に螺合されて前記ネジ部の回転駆動により昇降されるナット部と、前記ナット部と前記昇降台を連結して前記ナット部の昇降により前記昇降台を昇降自在に支持する連結支持部とを備え、前記ネジ部、前記ナット部、及び、前記連結支持部の少なくとも一部が、前記昇降マスト内に配置され、前記ネジ部は、前記走行台車を構成する台車フレームの上端部を貫通する状態でその下端部が前記台車フレーム内に位置するように配置され、前記走行レールは、前記移載部による物品移載方向に間隔を隔てて一対設けられ、前記昇降用モータには、前記昇降用モータの出力を減速させて前記出力軸に伝達自在な減速機が一体的に備えられ、前記昇降用モータは、前記台車フレームの下方側に、その長手方向が前記走行台車の走行方向に対して直交する方向に沿う姿勢で、前記物品移載方向において一対の前記走行レールの間で且つ上下方向において前記昇降用モータよりも下方側にメンテナンス台車挿入用空間を形成する状態で配置され、前記台車フレーム内には、前記昇降用モータの出力軸の回転軸心と前記ネジ部の回転軸心とが一致する状態で前記昇降用モータの出力軸と前記ネジ部とを連結して前記昇降用モータの出力を前記ネジ部に伝達自在なカップリング部が備えられている点にある。
【０００９】
本特徴構成によれば、昇降用モータがネジ部を回転駆動すると、その回転駆動によりナット部が昇降し、そのナット部の昇降に伴って連結支持部によりナット部に連結された昇降台が昇降する。このようにして、昇降用モータによるネジ部の回転駆動により昇降台を昇降させることができ、昇降台を安定した状態で昇降させることができる。
【００１０】
そして、ネジ部、ナット部、及び、連結支持部の少なくとも一部が、昇降マスト内に配置されているので、これらの部材の設置スペースとして昇降マストの内部空間を利用することができる。また、ネジ部は、台車フレームの上端部を貫通する状態でその下端部が台車フレーム内に位置するように配置され、さらに、台車フレーム内には、台車フレームの下方側に配置された昇降用モータの出力軸とネジ部とを連結して昇降用モータの出力をネジ部に伝達するカップリング部が備えられている。これにより、単に、カップリング部にて昇降用モータの出力軸とネジ部とを連結するという簡易な構成により、昇降用モータの出力をネジ部に伝達させることできる。しかも、昇降用モータは、台車フレームの外部に露出する状態で台車フレームの下方側に配置しているので、昇降用モータの交換作業を容易に行うことができる。つまり、昇降用モータを交換する作業を行う場合には、単に、昇降用モータをネジ部に対して回転させる作業等を行うだけで、ネジ部から昇降用モータを取り外すことができる。また、ネジ部に対して昇降用モータを取り付けるときにも、単に、昇降用モータをネジ部に対して回転させる作業等を行うだけでよい。したがって、昇降用モータの交換作業を容易に行うことができ、その交換作業を短時間で行うことができる。
【００１１】
したがって、本発明では、昇降駆動手段として、構成の複雑化を招くことなく、ボールネジ駆動式の昇降駆動手段を備えることができながら、昇降用モータの交換作業を短時間で行うことができるスタッカークレーンを実現できる。
【００１３】
又、例えば、昇降用モータの長手方向が走行台車の走行方向に沿う姿勢で配置する場合には、昇降マストが位置する側から昇降台が位置する側に延びるように昇降用モータを設置すると、作業者がその昇降用モータを交換するときに、作業者は昇降台の下方に入り込んで交換作業を行わなければならない。よって、交換作業を行うに当たり、安全面での配慮が必要となって、交換作業が面倒な作業となってしまう可能性ある。そこで、昇降マストが位置する側から走行台車の外側に延びるように昇降用モータを設置することが考えられるが、この場合には、昇降用モータが走行台車の走行方向に突出する状態で設置されることになり、スタッカークレーンとして、走行台車の走行方向の長さが長くなってしまう。
そこで、本特徴構成では、昇降用モータの長手方向が走行台車の走行方向に対して直交する方向に沿う姿勢で昇降用モータが配置されているので、昇降用モータは走行台車の走行方向に突出する状態とはならず、走行台車の走行方向の長さを短くできながら、作業者が昇降台の下方に入り込まずに昇降用モータの交換作業を行うことができ、有用なものとなる。
【００１５】
さらに、本特徴構成によれば、減速機が昇降用モータに一体的に備えられているので、昇降用モータを交換する作業を行うことで、一体的に備えられた減速機も一緒に交換することができ、減速機と昇降用モータとを各別に備えるものと比べて、交換作業がより一層簡易なものとなる。
【００１７】
加えて、本特徴構成によれば、上下方向において昇降用モータよりも下方側にメンテナンス台車挿入用空間を形成する状態で昇降用モータが配置されているので、昇降用モータの交換作業を行うときに、このメンテナンス台車挿入用空間を利用しながら効率よく作業を行うことができる。つまり、昇降用モータを交換するときには、作業者の押し移動等により床面上でメンテナンス台車を移動させるだけで、メンテナンス台車挿入用空間にメンテナンス台車を挿入させることができる。よって、昇降用モータの運搬等をメンテナンス台車を用いて行うことができ、昇降用モータの交換作業がより簡単なものとなり、作業時間の短縮を効果的に図ることができる。
【００１８】
本発明に係るスタッカークレーンの第２特徴構成は、前記昇降マストは、前記物品移載方向に水平に直交する水平直交方向に間隔を隔てて前記昇降台を挟む状態で一対設けられ、前記昇降駆動手段及び前記カッププリング部は、前記水平直交方向に間隔を隔てて前記昇降台を挟む状態で一対設けられている点にある。
【００１９】
本特徴構成によれば、水平直交方向において一対の昇降駆動手段が昇降台を挟む状態で設けられているので、一対の昇降駆動手段の夫々にて昇降台を両側から支持しながら昇降台を昇降させることができる。これにより、昇降台を支持する構成としては簡易な構成を用いながら昇降台を安定した姿勢で支持して昇降させることができる。しかも、昇降台を昇降させるために必要な駆動力を一対の昇降駆動手段の夫々に分担させることができ、昇降駆動手段としては、高能力なものが求められず、構成の簡素化及び小型化を図ることができる。そして、昇降用モータの交換作業としては、一対の昇降駆動手段の夫々における昇降用モータを交換することになるが、上述の如く、昇降用モータの夫々を簡易に交換することでき、昇降用モータの交換作業の時間短縮を効果的に図ることができる。
【図面の簡単な説明】
【００２０】
【図１】保管設備の全体概略側面図
【図２】スタッカークレーンの側面図
【図３】スタッカークレーンの側面図
【図４】昇降台の平面図
【図５】スタッカークレーンの断面図
【図６】昇降駆動手段を示す断面図
【図７】昇降駆動手段を示す断面図
【図８】昇降駆動手段の要部を拡大した図
【図９】昇降台の要部を拡大した平面図
【図１０】昇降台の要部を拡大した側面図
【図１１】昇降台の要部を拡大した図
【図１２】回転センサを示す平面図
【図１３】回転センサを示す側面図
【図１４】保管設備の制御ブロック図
【発明を実施するための形態】
【００２１】
本発明に係るスタッカークレーンを適用した保管設備の実施形態について図面に基づいて説明する。
この保管設備は、図１に示すように、物品Ｂを出し入れする前面が互いに対向するように間隔を隔てて設置した２つの収納棚１と、それらの収納棚１どうしの間に形成した走行通路２を自動走行するスタッカークレーン３とを備えている。
【００２２】
各収納棚１は、各物品Ｂを収納する物品収納部４が上下方向及び左右方向に複数並ぶように設けられており、図１では、上下方向に２つの物品収納部４が設けられている例を示している。ここで、物品Ｂは、例えば、ガラス基板を水平姿勢にて上下方向に間隔を隔てて複数枚収納可能な容器にて構成されている。そして、スタッカークレーン３は、走行通路２の床面側に設置された一対の走行レール５に沿って移動自在に設けられており、収納棚１の棚横幅方向の端部等に配置された搬出入部（図示省略）に入庫された物品Ｂを収納棚１の物品収納部４に収納する入庫動作や、収納棚１の物品収納部４に収納されている物品Ｂを搬出入部に搬送する出庫動作を行うように構成されている。
【００２３】
スタッカークレーン３は、図２及び図３に示すように、一対の走行レール５に沿って走行自在な走行台車６と、走行台車６に立設された一対の昇降マスト７と、一対の昇降マスト７の間において一対の昇降マスト７に沿って昇降自在な昇降台８と、昇降台８に備えられた物品移載装置９（移載部に相当する）とを備えて構成されている。図２は、収納棚１の前後幅方向視での側面図であり、図３は、収納棚１の横幅方向視での側面図である。
【００２４】
走行台車６には、走行レール５上を走行自在な前後２つの車輪１０が設けられ、２つの車輪１０のうちの走行台車６の前後幅方向の一端側の車輪が、インバータ式モータである走行用電動モータ１１にて駆動される駆動輪１０ａとして構成され、走行台車６の前後幅方向の他端側の車輪が、遊転自在な従動輪１０ｂとして構成されている。そして、走行台車６は、走行用電動モータ１１の作動により駆動輪１０ａを回転駆動させて走行レール５に沿って走行するように構成されている。
【００２５】
図２及び図３では図示を省略するが、走行レール５上での走行台車６の走行位置を検出するために、走行台車６には、走行用レーザ測距計２６（図１４参照）が備えられている。この走行用レーザ測距計２６から走行レール５の端部に設置された反射体に対して測定用光を投光し、走行用レーザ測距計２６が反射体にて反射された測定用光を受光して、走行台車６から反射体までの距離を検出することで走行台車６の走行位置を検出している。
【００２６】
昇降マスト７は、走行台車６の前後幅方向において前端部と後端部の夫々に１つずつ一対設けられている。そして、一対の昇降マスト７は、その上部同士を連結しない非連結構造にて構成されている。これにより、一対の昇降マスト７の上部同士を連結する部材が必要ないので、スタッカークレーン３の軽量化を図ることができる。
【００２７】
昇降台８は、図４に示すように、棚横幅方向（図中Ｙ方向）に間隔を隔てて配置されて棚前後幅方向に延びる一対の第１昇降フレーム３３と、一対の第１昇降フレーム３３の端部側部位同士を連結する一対の第２昇降フレーム３４と、一対の第２昇降フレーム３４の中央部位同士を連結する第３昇降フレーム３５とを備えて構成されている。図４は、物品移載装置９を取り外した状態での昇降台８を示す平面図である。
【００２８】
物品移載装置９は、第１〜第３昇降フレーム３３〜３５により構成された昇降台８上に備えられており、収納棚１の棚前後幅方向を物品収納部４との間で物品Ｂを移載する物品移載方向（図中Ｘ方向）として、物品収納部４との間で物品Ｂを移載する。そして、物品移載装置９は、図２及び図５に示すように、物品Ｂを棚前後幅方向に載置搬送する一対のローラ式搬送装置１３と、物品Ｂを構成する物品構成用枠体の底面に係合して、物品Ｂを物品収納部４からローラ式搬送装置１３に係止移動させ且つ物品Ｂをローラ式搬送装置１３から物品収納部４に係止移動させる係止式搬送装置１４とを備えている。
【００２９】
一対のローラ式搬送装置１３は、物品移載方向に水平に直交する水平直交方向である収納棚１の棚横幅方向（図中Ｙ方向）において昇降台８の両端部に配置され、係止式搬送装置１４は、収納棚１の棚横幅方向において昇降台８の中央部に配置されている。
【００３０】
係止式搬送装置１４は、物品構成用枠体の底面に係合する係合部が物品収納部４に突出する突出位置と昇降台８側に引退する引退位置とに出退自在に、且つ、物品構成用枠体の底面に係合する上昇位置とその上昇位置よりも下方に引退する下降位置とに昇降自在に備えられている。そして、係止式搬送装置１４は、係合部を突出位置に突出させて下降位置から上昇位置に昇降させることで物品収納部４の物品Ｂに対してその物品Ｂの物品構成用枠体の底面に係合自在となり、その状態で係合部を突出位置から引退位置に引退させることで、物品Ｂを物品収納部４からローラ式搬送装置１３に係止移動させる。また、係止式搬送装置１４は、係合部を引退位置に位置させて下降位置から上昇位置に昇降させることで物品移載装置９の物品Ｂに対してその物品Ｂの物品構成用枠体の底面に係合自在となり、その状態で係合部を引退位置から突出位置に突出させることで、物品Ｂをローラ式搬送装置１３から物品収納部４に係止移動させる。
【００３１】
このようにして、物品移載装置９は、係止式搬送装置１４による物品Ｂの係止移動及びローラ式搬送装置１３による物品Ｂの載置搬送により、物品収納部４との間で物品Ｂを移載自在に構成されている。そして、物品移載装置９による物品Ｂの移載をスムーズに行うために、収納棚１の物品収納部４の夫々には、図１に示すように、収納棚１の棚横幅方向に沿う軸心周りで自由回転自在な複数のローラ１５が、収納棚１の棚前後幅方向に沿って並べる状態で設けられている。
【００３２】
スタッカークレーン３には、図４及び図５に示すように、昇降台８を昇降マスト７に沿って上下方向に昇降駆動させるボールネジ駆動式の昇降駆動手段１２が備えられている。昇降駆動手段１２は、棚横幅方向（図中Ｙ方向）に間隔を隔てて昇降台８を挟む状態で一対設けられている。
【００３３】
一対の昇降駆動手段１２の夫々は、同様の構成をしており、図６及び図７に示すように、軸心が上下方向に沿って配置されたネジ部１６を回転駆動させる昇降用電動モータ１７（昇降用モータに相当する）と、ネジ部１６に螺合されてネジ部１６の回転駆動により昇降されるナット部１８と、ナット部１８と昇降台８を連結してナット部１８の昇降により昇降台８を昇降自在に支持する連結支持部１９と、上下方向に沿って配置されて昇降台８を上下方向に沿って昇降案内する昇降案内部２０とを備えている。図６は、図５における棚横幅方向視での昇降駆動手段１２の拡大図であり、図７は、図５における棚前後幅方向視での昇降駆動手段１２の拡大図である。そして、一対の昇降駆動手段１２の夫々は、ネジ部１６、ナット部１８、昇降案内部２０、及び、連結支持部１９の少なくとも一部が昇降マスト７内に配置されている。
【００３４】
ネジ部１６は、上部及び下部の夫々がベアリング２７により回転自在に支持されている。ネジ部１６の下端側部位１６ａは、走行台車６を構成する台車フレーム２１の上端部を貫通する状態で台車フレーム２１内に延びるように配置されており、ネジ部１６の下端部が台車フレーム２１内に配置されている。ここで、台車フレーム２１は、棚前後幅方向（図中Ｘ方向）に伸びる角材にて構成されており、図５に示すように、棚横幅方向に間隔を隔てて一対設けられている。そして、走行台車６は、一対の台車フレーム２１と一対の台車フレーム２１同士を連結する連結フレームとから構成されている。
【００３５】
昇降用電動モータ１７は、台車フレーム２１の下方側に配置されており、その長手方向が棚前後幅方向（図中Ｘ方向）に沿う姿勢で配置されている。また、昇降用電動モータ１７には、昇降用電動モータ１７の出力を減速させて出力軸２３に伝達自在な減速機２４が一体的に備えられている。昇降用電動モータ１７は、棚前後幅方向に沿う出力軸にて出力しており、減速機２４は、昇降用電動モータ１７の出力を減速させるとともに、昇降用電動モータ１７の回転駆動力を出力する方向を上下方向に沿う出力軸２３に変換して出力している。そして、台車フレーム２１内には、減速機２４の出力軸２３とネジ部１３とを連結して昇降用電動モータ１７の出力をネジ部１３に伝達自在なカップリング部２２が備えられている。減速機２４が一体的に備えられた昇降用電動モータ１７の出力軸２３は、その軸心が上下方向に沿ったものとなっており、ネジ部１６の軸心も上下方向に沿ったものとなっている。よって、カップリング部２２は、単に、上下方向に沿った出力軸２３とネジ部２３とを連結するだけでよく、簡易な構成となっている。
【００３６】
このように、カップリング部２２を台車フレーム２１内に配置して、昇降用電動モータ１７の出力をネジ部１６に的確に伝達することができながら、減速機２４が一体的に備えられた昇降用電動モータ１７を台車フレーム２１の外部に露出する状態で台車フレーム２１の下方側に配置している。これにより、昇降用電動モータ１７を交換する作業を行う場合には、単に、昇降用電動モータ１７をネジ部１６に対して回転させる作業等を行うだけで、ネジ部１６から昇降用電動モータ１７及びそれに一体的に備えられた減速機２４を取り外すことができる。また、ネジ部１６に対して昇降用電動モータ１７を取り付けるときにも、単に、減速機２４が一体的に備えられた昇降用電動モータ１７をネジ部１６に対して回転させる作業等を行うだけでよい。したがって、昇降用電動モータ１７の交換作業を短時間で行うことができる。
【００３７】
また、昇降用電動モータ１７は、図３に示すように、棚前後幅方向（図中Ｘ方向）において一対の走行レール５の間で且つ上下方向において昇降用電動モータ１７よりも下方側にメンテナンス台車挿入用空間２５を形成する状態で配置されている。これにより、昇降用電動モータ１７を交換するときには、作業者の押し移動等により床面上でメンテナンス台車（図示省略）を移動させるだけで、メンテナンス台車挿入用空間２５にメンテナンス台車を挿入させることができる。よって、メンテナンス台車を用いながら昇降用電動モータ１７の交換作業を行うことができ、昇降用電動モータ１７の交換作業がより簡単なものとなり、作業時間の短縮を効果的に図ることができる。
【００３８】
ナット部１８は、図６及び図７に示すように、ネジ部１６に螺合された円柱状に形成されており、ナット部１８と昇降台８とを連結するために、ナット部１８の下端部に水平方向に延びる板状の第１連結部材２８が備えられている。昇降案内部２０は、昇降マスト７に取り付けられて上下方向に沿って延びるガイドレールにて構成されており、棚前後幅方向においてネジ部１６を挟む状態で間隔を隔てて一対設けられている。
【００３９】
連結支持部１９は、ナット部１６と昇降台８とを連結してナット部１６と昇降台８とを一体的に昇降させるとともに、昇降案内部２０にて昇降案内されるように構成されている。連結支持部１９は、ナット部１６側に備えられた第１連結部材２８と、昇降台８側に備えられて第１連結部材２８と上下方向に重ね合わせる状態で配置される水平方向に延びる板状の第２連結部材２９と、第２連結部材２９に連結されて上下方向に延びる一対の第３連結部材３０と、一対の第３連結部材３０の夫々に連結されて昇降台８の第１昇降フレーム３３に連結される第４連結部材３１とを備えて構成されている。第１連結部材２８と第２連結部材２７とは、平面視における大きさが第２連結部材２７の方が大きくなっている。一対の第３連結部材３０は、棚前後幅方向においてネジ部１６を挟む状態で間隔を隔てて設けられており、一対の第３連結部材３０の夫々には、昇降案内部２０にて摺動案内される被案内部３２が上下方向に間隔を隔てて２つずつ備えられている。
【００４０】
連結支持部１９における第１連結部材２８と第２連結部材２９とは固定状態で連結されておらず、第１連結部材２８に対して水平方向での移動を許容する状態で第２連結部材２９が連結されている。
以下、その構成について、図６の該当部分を拡大した図８に基づいて説明を加える。
連結支持部１９は、第１連結部材２８と第２連結部材２９とを連結するための連結用ボルト３６を備えている。連結用ボルト３６は、第１連結部材２８を下方側に位置させる状態で第１連結部材２８と第２連結部材２９とを上下方向に重ね合わせて、第１連結部材２８に形成された第１連結孔３７と第２連結部材２９に形成された第２連結孔３８とを通して固定されて第１連結部材２８と第２連結部材２９とを連結している。第１連結孔３７は、第２連結孔３８の孔径よりも大きな孔径に形成されている。連結用ボルト３６は、第１連結孔３７の孔径よりも小径の外径である第１部位３６ａと、第１部位３６ａの外径よりも小径の外径を有して第１部位３６ａよりも先端側の第２部位３６ｂとを備えた段付きボルトにて構成されている。そして、連結用ボルト３６は、第１部位３６ａが第１連結孔３７を貫通する状態で第２部位３６ｂが第２連結孔３８に内嵌固定されている。
【００４１】
このようにして、第１連結孔３７の内周部と連結用ボルト３６の第１部位３６ａの外周部との間には隙間Ｓが形成されており、第１連結孔３７内において移動許容範囲（隙間Ｓ分に相当する範囲）で連結用ボルト３６の水平方向での移動が許容されている。これにより、ナット部１８側に備えられた第１連結部材２８に対して水平方向での移動を許容する状態で第２連結部材２９が連結されている。そして、第２連結部材２９は、第３連結部材３０及び第４連結部材３１を介して昇降台８に固定状態で連結されているので、連結支持部１９は、ネジ部１６に設置されたナット部１８に対して移動許容範囲内で水平方向での移動を許容する状態で昇降台８を連結自在に構成されている。
【００４２】
したがって、例えば、ネジ部１６の軸心方向に対して昇降案内部２０の案内方向がずれた状態でネジ部１６及び昇降案内部２０が設置された場合でも、昇降台８を昇降させる際に、ナット部１８に対して昇降台８が水平方向に移動許容範囲内で移動しながら昇降することになり、ネジ部１６に対して水平方向に力がかからず、ネジ部１６の破損を防止することができる。しかも、ネジ部１６自体は移動せずに固定されているので、ネジ部１６を揺動させる等の複雑な構成を備えることなく、昇降台８を上下方向に沿って適正に昇降させることができる。
【００４３】
また、上下方向に重ね合わされる第１連結部材２８と第２連結部材２９との間には、第１連結部材２８と第２連結部材２９との間での摩擦抵抗よりも小さい摩擦抵抗を有する小摩擦抵抗体３９（例えば、ＭＣナイロンにて構成された平板状部材）が配置されている。これにより、昇降台８を昇降させる際に、ナット部１８に対する昇降台８の水平方向での移動をスムーズに行うことができ、ネジ部１６に対して水平方向に力がかかることを的確に防止することができる。
【００４４】
昇降台８は、上述の如く、図４に示すように、一対の第１昇降フレーム３３と一対の第２昇降フレーム３４とを備えているが、第１昇降フレーム３３と第２昇降フレーム３４とは固定状態で連結されておらず、一対の第２昇降フレーム３４の夫々における一端部が一対の第１昇降フレーム３３の一方側に対して棚前後幅方向に沿う軸心周りに揺動自在で連結され、且つ、一対の第２昇降フレーム３４の夫々における他端部が一対の第１昇降フレーム３３の他方側に対して水平方向にスライド移動自在に連結されている。
【００４５】
以下、その構成について、第１昇降フレーム３３と第２昇降フレーム３４との連結部分を拡大した図９〜図１１に基づいて説明する。
一対の第２昇降フレーム３４の夫々は、その一端部が棚前後幅方向に沿う軸心周りで揺動自在に第１昇降フレーム３３に連結され、且つ、その他端部が棚横幅方向にスライド移動自在に第１昇降フレーム３３に連結されている。図９は、第１昇降フレーム３３と第２昇降フレーム３４とを連結する部分を拡大した平面図であり、図１０は、第１昇降フレーム３３と第２昇降フレーム３４とを連結する部分を拡大した側面図である。図１１（ａ）は、図９及び図１０において第２昇降フレーム３４の左端部と第１昇降フレーム３３とを連結する部分の断面図であり、図１１（ｂ）は、図９及び図１０において第２昇降フレーム３４の右端部と第１昇降フレーム３３とを連結する部分の断面図である。
【００４６】
第２昇降フレーム３４の一端部では、図９及び図１０中左側、並びに、図１１（ａ）に示すように、棚前後幅方向（図中Ｘ方向）に沿う軸心周りに回転自在な連結ピン４１が第１昇降フレーム３３に備えられた一端側連結部材４０を貫通する状態でその一端側連結部材４０に対して回転自在に設けられている。そして、第２昇降フレーム３４が、連結ピン４１により一端側連結部材４０に対して棚前後幅方向に沿う軸心周りに回転自在に連結されている。これにより、第２昇降フレーム３４がその一端部を支点として第１昇降フレーム３３に対して揺動自在となっている。
【００４７】
また、第２昇降フレーム３４の他端部では、図９及び図１０中右側、並びに、図１１（ｂ）に示すように、第１昇降フレーム３３に備えられた他端側連結部材４９に形成された水平直交方向に沿う長孔状の溝部４２に対して、第２昇降フレーム３４に備えられた棚前後幅方向に沿う軸心周りで自由回転自在なガイドローラ５１を嵌め込むことで、第２昇降フレーム３４が他端側連結部材４９に対して棚横幅方向（図中Ｙ方向）にスライド移動自在に連結されている。これにより、ガイドローラ５１が溝部４２内で棚横幅方向にスライド移動することにより、第２昇降フレーム３４が第１昇降フレーム３３に対して棚横幅方向に移動自在となっている。また、他端側連結部材４９に対する第２昇降フレーム３４の移動を規制するために、他端側連結部材４９やガイドローラ５１に当接自在な上下方向に沿う軸心周りで自由回転自在な規制ローラ５０が備えられている。
【００４８】
スタッカークレーン３には、図５に示すように、棚横幅方向（図中Ｙ方向）の一方側に上下方向での昇降台８の昇降位置を検出する昇降用レーザ測距計４３が備えられている。昇降用レーザ測距計４３は、棚横幅方向において昇降台８の一方側に配置された反射体４４に対して上下方向に沿って測定用光を投光し、反射体４４にて反射された測定用光を受光するように構成されている。昇降用レーザ測距計４３は、例えば、測定用光を投光してから測定用光を受光するまでの経過時間に基づいて、走行台車６から昇降台８までの距離を求めることで、上下方向での昇降台８の昇降位置を検出している。
【００４９】
また、スタッカークレーン３には、一対の昇降駆動手段１２のうち、棚横幅方向（図中Ｙ方向）の他方側（昇降用レーザ測距計４３の配置位置とは反対側）に位置する昇降駆動手段１２には、ネジ部１６が回転しているか否かを検出する回転センサ４５が備えられている。この回転センサ４５について、平面図である図１２及び側面図である図１３に基づいて説明する。
【００５０】
回転センサ４５は、ネジ部１６の上端部にネジ部１６と同軸上で回転自在に設けられた回転体４７と、回転体４７の回転を検出する馬蹄形のセンサ部４８とを備えている。回転体４７は、回転方向に存在領域と非存在領域とを備えた扇形状に形成され、センサ部４８は、例えば、投受光式のセンサであり、回転体４７の存在領域の回転方向での通過を検出するように構成されている。
【００５１】
このスタッカークレーン３には、図１４に示すように、スタッカークレーン３の運転を制御するクレーン制御装置Ｈが備えられている。そして、クレーン制御装置Ｈは、地上側コントローラ（図示省略）からの指令に基づいて、搬出入部に入庫された物品Ｂを収納棚１の物品収納部４に収納する入庫動作や、収納棚１の物品収納部４に収納されている物品Ｂを搬出入部に搬送する出庫動作を行うべく、スタッカークレーン３の運転を制御する。クレーン制御装置Ｈは、入庫動作及び出庫動作において、走行台車１０の走行作動及び昇降台８の昇降作動を制御することにより、移載対象となる物品収納部４又は搬出入部に対して設定された移載用目標位置に物品移載装置９を移動させ、移載用目標位置に物品移載装置９を位置させた状態において物品移載装置９の移載作動を制御することにより、移載対象となる物品収納部４又は搬出入部との間で物品Ｂを移載する。
【００５２】
クレーン制御装置Ｈは、走行用レーザ測距計２６の検出情報に基づいて、走行台車６の走行位置を管理しており、その走行台車６の走行位置に基づいて走行用電動モータ１１を作動させて走行台車１０の走行作動を制御することで、棚横幅方向で移載用目標位置に物品移載装置９を移動させている。
【００５３】
昇降用電動モータ１７としてサーボモータを用いているので、クレーン制御装置Ｈは、昇降用電動モータ１７としてのサーボモータのエンコーダ値に基づいて、昇降台８の昇降位置を管理しており、その昇降台８の昇降位置に基づいて一対の昇降駆動手段１２の夫々における２つの昇降用電動モータ１７を同期駆動させることで、一対の昇降駆動手段１２を同期駆動させて昇降台８の昇降作動を制御して、上下方向で移載用目標位置に物品移載装置９を移動させている。
【００５４】
ここで、クレーン制御装置Ｈが、昇降台８を昇降させるに当たり、一対の昇降駆動手段１２の夫々における昇降用電動モータ１７を同期駆動させるのであるが、昇降用電動モータ１７の故障等により一方の昇降駆動手段１２においてネジ部１６を適正に回転駆動できなくなることがある。この場合には、昇降台８を適正に昇降させることができず、ネジ部１６の破損等の問題が生じることになる。そこで、一対の昇降駆動手段１２の夫々において、ネジ部１６が適正に回転駆動しているか否かを判別することが必要となる。
【００５５】
昇降用レーザ測距計４３は、図５に示すように、棚横幅方向（図中Ｙ方向）の一方側に配置されており、クレーン制御装置Ｈは、この昇降用レーザ測距計４３の検出情報に基づいて、上下方向での昇降台８の昇降位置を管理している。これにより、一対の昇降駆動手段１２のうち、棚横幅方向の一方側に位置する昇降駆動手段１２について、クレーン制御装置Ｈが、昇降用電動モータ１７を作動させているにもかかわらず、昇降用レーザ測距計４３の検出情報による昇降台８の昇降位置が変化しなければ、ネジ部１６が適正に回転駆動していないと判別して、昇降台８の昇降を異常停止させる。
【００５６】
回転センサ４５は、図５に示すように、棚横幅方向（図中Ｙ方向）の他方側に配置されている。そこで、クレーン制御装置Ｈには、図１４に示すように、一対の昇降駆動手段１２のうち、棚横幅方向の他方側に位置する昇降駆動手段１２について、昇降用電動モータ１７にてネジ部１６を回転させたときに、回転センサ４５の検出情報に基づいて、ネジ部１６が適正に回転していないネジ部回転異常状態であるか否かを判別するネジ部回転異常状態判別手段Ｈ１が備えられている。ネジ部回転異常状態判別手段Ｈ１は、昇降用電動モータ１７を作動させてネジ部１６を回転させているときに、ネジ部１６が設定回数回転するまでにセンサ部４８にて回転体４７の存在領域の回転方向での通過を検出しなければ、ネジ部回転異常状態であると判別して、昇降台８の昇降を異常停止させる。
【００５８】
〔別実施形態〕
（１）上記実施形態では、上下方向での昇降台８の昇降位置を検出する昇降用レーザ測距計４３を設けているが、例えば、上下方向での昇降台８の昇降位置を検出する昇降用ロータリエンコーダを設けることもできる。この場合、例えば、昇降用ロータリエンコーダの回転軸には、昇降マスト７の長手方向に沿って設けられたチェーンに歯合するスプロケットが設けられ、昇降用ロータリエンコーダは、基準位置からの昇降台８の昇降距離から上下方向での昇降台８の昇降位置を検出する。
また、走行台車６の走行位置を検出する走行用レーザ測距計２６についても、これに代えて、走行用ロータリエンコーダを用いることもできる。
【符号の説明】
【００５９】
３        スタッカークレーン
５        走行レール
６        走行台車
７        昇降マスト
８        昇降台
９        移載部
１２      昇降駆動手段
１６      ネジ部
１７      昇降用モータ
１８      ナット部
１９      連結支持部
２１      台車フレーム
２２      カップリング部
２４      減速機
２５      メンテナンス台車用挿入用空間
【図１】
0005447941.tif 000002
【図２】
0005447941.tif 000003
【図３】
0005447941.tif 000004
【図４】
0005447941.tif 000005
【図５】
0005447941.tif 000006
【図６】
0005447941.tif 000007
【図７】
0005447941.tif 000008
【図８】
0005447941.tif 000009
【図９】
0005447941.tif 000010
【図１０】
0005447941.tif 000011
【図１１】
0005447941.tif 000012
【図１２】
0005447941.tif 000013
【図１３】
0005447941.tif 000014
【図１４】
0005447941.tif 000015